(57)【要約】【課題】一缶二水路型で一方が給湯回路となる２つの通水経路を同時に使用しても、給湯回路での適正な運転を行う。【解決手段】Ｓ１で、コントローラは、給湯回路と風呂回路とが同時使用中か否かを判別する。同時使用中であれば、Ｓ２で、風呂水流スイッチがＯＮしたか否か（風呂回路内を湯水が循環しているか否か）を確認し、ＯＮ動作を確認したら、Ｓ３で、最大アウトプットの暫定値を、最大アウトプットの初期値に熱分配率を乗じた式によって算出する。次に、Ｓ４で、計算して得た最大アウトプットの暫定値を、出湯管の最大水量を求める式に適用して最大水量を再計算し、再計算後の最大水量となるように水量制御弁の開度を変更する。【選択図】図２
2019066057.tif 000002
【特許請求の範囲】
【請求項１】
下部にバーナが配置される燃焼室と、
前記燃焼室の上部に併設される２つの熱交換器と、
各前記熱交換器ごとにそれぞれ接続される２つの通水経路と、
前記バーナの燃焼を制御すると共に、前記バーナにより与えられる最大アウトプットに基づいて運転を制御するコントローラと、を含んでなる給湯器であって、
前記通水経路の一方は、前記熱交換器に接続される給水管と出湯管とを含む給湯回路であり、
前記コントローラは、前記２つの通水経路が同時使用となった際には、前記最大アウトプットの暫定値を、前記給湯回路の単独使用時に与えられる前記最大アウトプットの初期値と、予め設定された熱分配率とを用いた以下の式に基づいて計算し、算出した前記最大アウトプットの暫定値に基づいて前記給湯回路での運転を制御することを特徴とする給湯器。
最大アウトプットの暫定値＝最大アウトプットの初期値×熱分配率
【請求項２】
前記熱分配率は、少なくとも一方の前記通水経路における少なくとも水温に基づいて変更可能であることを特徴とする請求項１に記載の給湯器。
【請求項３】
前記出湯管には、流量を制御する出湯流量制御手段が備えられて、
前記コントローラは、前記給湯回路の単独使用の際には、前記最大アウトプットの初期値に基づき、設定温度で出湯するための前記出湯管での最大水量を決定して前記出湯流量制御手段を制御する一方、
前記２つの通水経路が同時使用となった際には、前記最大アウトプットの暫定値に基づいて前記設定温度で出湯するための前記最大水量を決定して、前記出湯流量制御手段を制御することを特徴とする請求項１又は２に記載の給湯器。
【請求項４】
前記通水経路の他方は、外部の浴槽に繋がって前記浴槽の湯水を前記熱交換器との間で循環させる風呂回路であり、
前記コントローラは、前記給湯回路の単独使用中に、前記風呂回路に設けられて前記湯水の循環を検出する循環検出手段によって前記湯水の循環を検出した際に、前記２つの通水経路の同時使用と判断することを特徴とする請求項１乃至３の何れかに記載の給湯器。
【請求項５】
前記最大アウトプットの暫定値に基づく前記給湯回路の運転制御は、少なくとも前記風呂回路の使用終了により解除されることを特徴とする請求項４に記載の給湯器。
【発明の詳細な説明】
【技術分野】
【０００１】
本発明は、バーナを備えた１つの燃焼室に、通水経路が異なる２つの熱交換器を併設したいわゆる一缶二水路型の給湯器に関する。
【背景技術】
【０００２】
給湯器は、バーナに加熱される熱交換器に、給水管と出湯管とを接続し、出湯管が繋がる外部の給湯栓の開栓により、水道管を介して給水管から供給される水をバーナの燃焼排気で熱交換して出湯させる給湯回路を備えている。これに加えて、熱交換器と外部の浴槽や浴室暖房機等とを接続する通水経路を形成して、湯水を循環させながら熱交換器で加熱して追い焚きや暖房を行うものも知られている。
このような給湯器では、浴槽や暖房機側の熱交換器と給湯回路側の熱交換器とをそれぞれ異なる燃焼室に設置して異なるバーナで加熱する構成（二缶二水路型）の他、特許文献１に開示されるように、１つの燃焼室内に給湯回路側の熱交換器と浴槽や暖房機側の熱交換器とを併設して、２つの熱交換器を共通のバーナで加熱するようにした一缶二水路型の構成もよく用いられている。
【先行技術文献】
【特許文献】
【０００３】
【特許文献１】特開２０１７−１５５９５６号公報
【発明の概要】
【発明が解決しようとする課題】
【０００４】
給湯器においては、給湯回路の出湯管にモータ駆動する水量制御弁を設けて、給湯回路を使用する際には、器具の運転を制御するコントローラが、設定温度と入水温度、入水量、バーナの最大熱量に基づいて、設定温度で出湯するための最大水量（最大出湯量）を算出し、その最大水量となるように水量制御弁を制御するようになっている。
ところが、一缶二水路型の給湯器において、例えば給湯回路と風呂回路とを併設している場合、先に給湯回路のみを単独使用して出湯させている状態で、風呂の追い焚きを開始して風呂回路を同時使用すると、バーナの熱量が同じ燃焼室内にある風呂回路側の熱交換器に消費されて、最大熱量に占める給湯回路側の熱量の割合が減少してしまう。
この状態でも給湯回路の単独使用時で決定した最大水量は変わらないため、設定温度での出湯に必要な熱量を給湯回路側の熱交換器に与えることができず、能力オーバーとなって設定温度よりも低い温度で出湯されてしまい、適正な運転が行えないおそれがあった。
【０００５】
そこで、本発明は、一缶二水路型で一方が給湯回路となる２つの通水経路を同時に使用しても、給湯回路での適正な運転を行うことができる給湯器を提供することを目的としたものである。
【課題を解決するための手段】
【０００６】
上記目的を達成するために、請求項１に記載の発明は、下部にバーナが配置される燃焼室と、燃焼室の上部に併設される２つの熱交換器と、各熱交換器ごとにそれぞれ接続される２つの通水経路と、バーナの燃焼を制御すると共に、バーナにより与えられる最大アウトプットに基づいて運転を制御するコントローラと、を含んでなる給湯器であって、
通水経路の一方は、熱交換器に接続される給水管と出湯管とを含む給湯回路であり、コントローラは、２つの通水経路が同時使用となった際には、最大アウトプットの暫定値を、給湯回路の単独使用時に与えられる最大アウトプットの初期値と、予め設定された熱分配率とを用いた以下の式に基づいて計算し、算出した最大アウトプットの暫定値に基づいて給湯回路での運転を制御することを特徴とする。
最大アウトプットの暫定値＝最大アウトプットの初期値×熱分配率
なお、「最大アウトプット」は、バーナにより熱交換器に与えられる最大熱量をいう。
請求項２に記載の発明は、請求項１の構成において、熱分配率は、少なくとも一方の通水経路における少なくとも水温に基づいて変更可能であることを特徴とする。
請求項３に記載の発明は、請求項１又は２の構成において、出湯管には、流量を制御する出湯流量制御手段が備えられて、コントローラは、給湯回路の単独使用の際には、最大アウトプットの初期値に基づき、設定温度で出湯するための出湯管での最大水量を決定して出湯流量制御手段を制御する一方、２つの通水経路が同時使用となった際には、最大アウトプットの暫定値に基づいて設定温度で出湯するための最大水量を決定して、出湯流量制御手段を制御することを特徴とする。
請求項４に記載の発明は、請求項１乃至３の何れかの構成において、通水経路の他方は、外部の浴槽に繋がって浴槽の湯水を熱交換器との間で循環させる風呂回路であり、コントローラは、給湯回路の単独使用中に、風呂回路に設けられて湯水の循環を検出する循環検出手段によって湯水の循環を検出した際に、２つの通水経路の同時使用と判断することを特徴とする。
請求項５に記載の発明は、請求項４の構成において、最大アウトプットの暫定値に基づく給湯回路の運転制御は、少なくとも風呂回路の使用終了により解除されることを特徴とする。
【発明の効果】
【０００７】
請求項１に記載の発明によれば、２つの通水経路が同時使用となった際には、最大アウトプットの暫定値を、給湯回路の単独使用時に与えられる最大アウトプットの初期値と、予め設定された熱分配率とを用いて計算し、算出した最大アウトプットの暫定値に基づいて給湯回路での運転を制御することで、同時使用の際には給湯回路側に与えられる最大アウトプットの割合に基づいた給湯回路の運転制御が可能となる。よって、一缶二水路型で２つの通水経路を同時に使用しても、給湯回路での適正な運転を行うことができる。
請求項２に記載の発明によれば、請求項１の効果に加えて、熱分配率を少なくとも水温に基づいて変更可能としているので、より正確な最大アウトプットの暫定値を算出することができる。
請求項３に記載の発明によれば、請求項１又は２の効果に加えて、コントローラは、２つの通水経路の同時使用の際には、最大アウトプットの暫定値に基づいて設定温度で出湯するための最大水量を決定して出湯流量制御手段を制御するので、同時使用の際には給湯回路での最大水量を減少させて運転することができる。よって、低温出湯を効果的に防止可能となる。
請求項４に記載の発明によれば、請求項１乃至３の何れかの効果に加えて、コントローラは、給湯回路の単独使用中に、風呂回路の循環検出手段によって湯水の循環を検出した際に、２つの通水経路の同時使用と判断することで、給湯回路と風呂回路との双方の通水経路へ確実に通水した状態で最大アウトプットの変更制御を実行することができる。
請求項５に記載の発明によれば、請求項４の効果に加えて、最大アウトプットの暫定値に基づく給湯回路の運転制御を、少なくとも風呂回路の使用終了により解除するようにしたことで、給湯回路を使用終了から再使用した際の出湯流量制御手段の余計な動作を排除でき、同時使用から給湯回路を間欠運転しても出湯特性の悪化を防止することができる。
【図面の簡単な説明】
【０００８】
【図１】給湯器の概略回路図である。
【図２】最大アウトプット変更制御のフローチャートである。
【図３】風呂戻り温度と熱分配率との関係を示すテーブルである。
【発明を実施するための形態】
【０００９】
以下、本発明の実施の形態を図面に基づいて説明する。
図１は、給湯器の一例を示す概略回路図である。この給湯器１は、燃焼室２の下部に、互いに数が異なる複数のバーナ４，４・・を備えた３つのバーナユニット３，３・・と、各バーナユニット３に燃焼用空気を供給する燃焼ファン５とが設けられ、燃焼室２内の上部には、バーナ４，４・・の燃焼排気が通過する給湯熱交換器６と風呂熱交換器７とが併設されている。８は点火プラグ、９はフレームロッドで、燃焼室２の上部には、両熱交換器６，７を通過した燃焼排気を排出する排気フード１０が設けられ、燃焼室２の外側には、燃焼室２からの燃焼排気の漏出を検出するヒューズ回路をプリントしたシート状の過熱防止装置１１が巻回されている。
【００１０】
燃焼室２等を収容する器具のガス入口には、外部からのガス配管が接続されるガス管１２が接続されて、各バーナユニット３には、ガス管１２から分岐する分岐管１３，１３・・がそれぞれ接続されると共に、各分岐管１３には、ガス流路を開閉するガス電磁弁１４がそれぞれ設けられている。また、分岐前のガス管１２には、上流側から元ガス電磁弁１５、ガス比例弁１６がそれぞれ設けられている。
【００１１】
給湯熱交換器６は、所定間隔をおいて配設された複数のフィン１７，１７・・を蛇行状に貫通する給湯伝熱管１８を備え、給湯伝熱管１８の入口には、器具の水入口に接続される給水管１９が接続され、給湯伝熱管１８の出口には、器具の湯出口に接続される出湯管２０が接続されている。給湯熱交換器６の外側に露出する給湯伝熱管１８の屈曲部には、給湯伝熱管１８の温度を検出する水管サーミスタ２１が設けられている。また、給水管１９と出湯管２０との間には、給湯熱交換器６をバイパスするバイパス管２２が接続されて、給水管１９とバイパス管２２との接続部には、ステッピングモータにより駆動してバイパス管２２の流量を可変制御する分配弁２３が設けられている。
いる。
【００１２】
さらに、給水管１９におけるバイパス管２２との接続部の上流側には、入水温度を検出する入水サーミスタ２４と、給水管１９を流れる水量を検出する給湯水量センサ２５とが設けられている。
そして、出湯管２０における給湯熱交換器６の出口際には、出口温度を検出する給湯熱交換器サーミスタ２６が設けられ、バイパス管２２との接続部の下流側には、出湯温度を検出する給湯出湯サーミスタ２７と、ステッピングモータにより駆動して出湯管２０の流量を可変制御する水量制御弁２８とが設けられている。
よって、ここには、バーナユニット３に加熱される給湯熱交換器６と、給湯熱交換器６に接続される給水管１９及び出湯管２０、バイパス管２２を含む給湯回路Ａが形成される。
【００１３】
一方、風呂熱交換器７は、フィン１７，１７・・を蛇行状に貫通する風呂伝熱管３０を備え、風呂伝熱管３０の入口には、外部配管を介して外部の浴槽３１のバスアダプタ３２と接続される風呂戻り管３３が接続され、風呂伝熱管３０の出口には、外部配管を介してバスアダプタ３２と接続される風呂往き管３４が接続されている。風呂戻り管３３には、ポンプ３５が設けられると共に、その上流側には、風呂戻り温度を検出する風呂戻りサーミスタ３６が設けられ、ポンプ３５の下流側には、風呂戻り管３３内の湯水の流れによってＯＮ／ＯＦＦ動作する風呂水流スイッチ３７と、水圧によって浴槽３１内の水位を検出する水位センサ３８とが設けられている。また、風呂往き管３４には、風呂往き温度を検出する風呂往きサーミスタ３９が設けられている。
よって、ここには、バーナユニット３に加熱される風呂熱交換器７と、風呂熱交換器７と浴槽３１との間に接続される風呂戻り管３３及び風呂往き管３４とを含む風呂回路Ｂが形成される。
このように、給湯器１は、１つの燃焼室２内に通水経路が異なる給湯熱交換器６と風呂熱交換器７とが併設されて共通のバーナユニット３，３・・によって加熱される一缶二水路型となっている。
【００１４】
そして、給湯回路Ａと風呂回路Ｂとの間には、出湯管２０における水量制御弁２８の下流側と、風呂戻り管３３におけるポンプ３５と風呂戻りサーミスタ３６の間で落とし込み管４１が接続されている。この落とし込み管４１には、上流側に、落とし込み管４１を流れる水量を検出する風呂水量センサ４２が、下流側に、落とし込み管４１を開閉する落とし込み水電磁弁４３がそれぞれ設けられている。さらに、落とし込み水電磁弁４３の下流側には、２つの逆止弁４４，４４がそれぞれ設けられて、逆止弁４４，４４の間には、風呂戻り管３３から逆流した湯水をオーバーフロー口から排出する縁切弁４５が接続されている。
５０はコントローラで、マイコンやメモリの他、各モータの駆動回路、各サーミスタ及びセンサの検出回路等を備え、各サーミスタやセンサ等の検出信号を受けて各弁等を動作させて出湯温制御や浴槽３１への湯張り制御等を行う。５１は給湯リモコン、５２は風呂リモコンである。
【００１５】
以上の如く構成された給湯器１においては、まず通常の給湯は以下の如くなされる。
湯出口に接続された外部配管の給湯栓が開栓されて器具内に通水され、その通水を給湯水量センサ２５で検知すると、コントローラ５０は、燃焼ファン５を所定時間回転させて、燃焼室２内に貯留している燃焼排気を排出させる（プリパージ）。その後、ガス管１２の元ガス電磁弁１５、各ガス電磁弁１４を開弁させ、ガス比例弁１６を所定開度で開弁させて、各バーナユニット３へガスを供給すると共に、イグナイタを作動させて点火プラグ８でバーナ４，４・・に点火する。
これにより、給湯熱交換器６において、給湯伝熱管１８を流れる水がバーナ４の燃焼排気と熱交換されて、加熱された湯が出湯管２０及び外部配管を通って給湯栓から出湯される。
【００１６】
コントローラ５０は、出湯管２０の給湯熱交換器サーミスタ２６によって出口温度を監視し、分配弁２３のステッピングモータを駆動させて、出口温度が、給湯熱交換器６でのドレンの発生や過熱を防止できる温度範囲内に維持されるようにバイパス管２２への流量（バイパス率）を制御する。
また、給湯リモコン５１又は風呂リモコン５２で設定された設定温度と、入水サーミスタ２４から検出される入水温度と、給湯水量センサ２５から検出される入水量と、バーナユニット３，３・・により与えられる最大アウトプット（最大熱量）とから、以下の式（１）によって、設定温度で出湯するための最大水量（最大出湯量）を算出し、算出した最大水量となるように水量制御弁２８の開度を制御する。
最大水量［ｌ／分］＝（（設定温度［℃］−入水温度［℃］）×通水量［ｌ／分］）
÷最大アウトプット    ・・（１）
【００１７】
さらに、コントローラ５０は、給湯出湯サーミスタ２７によって出湯温度を監視し、出湯温度が設定温度となるように、各ガス電磁弁１４の開閉制御と、ガス比例弁１６の開度調整とを行うと共に、燃焼ファン５の回転数制御によって空気量を連続的に変化させる。
給湯栓を閉じると、給湯水量センサ２５からの信号停止を確認したコントローラ５０は、元ガス電磁弁１５及びガス電磁弁１４を閉じてバーナ４を消火させ、所定時間燃焼ファン５を回転させる（ポストパージ）。
【００１８】
一方、給湯リモコン５１又は風呂リモコン５２の自動スイッチを押すと、コントローラ５０は、落とし込み管４１の落とし込み水電磁弁４３を開弁して給湯熱交換器６に通水させてバーナ４を燃焼させる。出湯管２０からの湯は、落とし込み管４１及び風呂戻り管３３、風呂往き管３４を通って浴槽３１に供給される。落とし込み管４１に設けた風呂水量センサ４２で検出した水量が設定水量に達すると、落とし込み水電磁弁４３を閉じて落とし込みを終了させる。
次に、ポンプ３５を作動させて、風呂熱交換器７と浴槽３１との間で湯を循環させる。よって、風呂熱交換器７と浴槽３１との間を循環する風呂循環水は、風呂伝熱管３０を流れる際にバーナ４の燃焼排気と熱交換されて設定温度まで追い焚きされる。設定温度に達すると、バーナ４の燃焼を停止させ、ポンプ３５を停止させる。また、風呂リモコン５２の追い焚きスイッチの操作により、任意のタイミングでも追い焚きが可能となっている。
【００１９】
そして、コントローラ５０は、給湯回路Ａと風呂回路Ｂとの同時使用（給湯燃焼中での風呂の追い焚き）の際には、先の式（１）で用いる給湯回路Ａの単独使用時に与えられる最大アウトプット（最大アウトプットの初期値）を変更して最大アウトプットの暫定値を算出し、この暫定値に基づいて給湯回路Ａの運転を制御するようになっている。以下、この最大アウトプット変更制御を図２のフローチャートに基づいて説明する。
まずＳ１で、コントローラ５０は、給湯回路Ａと風呂回路Ｂとが同時使用中か否かを判別する。給湯回路Ａの使用は、バーナ４に設けたフレームロッド９からの炎電流の検出等によって確認され、風呂回路Ｂの使用は、風呂リモコン５２の追い焚きスイッチのＯＮ動作によって確認できる。同時使用でなければ本制御は終了する。
【００２０】
ここで、同時使用中であれば、Ｓ２で、風呂水流スイッチ３７がＯＮしたか否か（風呂回路Ｂ内を湯水が循環しているか否か）を確認し、ＯＮ動作を確認したら、Ｓ３で、最大アウトプットの暫定値を、以下の式（２）によって計算する。ＯＮ動作が確認できなければ本制御は終了する。
最大アウトプットの暫定値＝最大アウトプットの初期値×熱分配率  ・・（２）
この熱分配率は、図３のテーブルに示すように、風呂戻りサーミスタ３６から得られる風呂戻り温度に応じて予め設定されており、Ｓ３の計算は、風呂戻り温度に対応する熱分配率を選択して行われる。図３において、例えば風呂戻り温度０℃は、０℃以上で１０℃未満の範囲を示す。他の温度も同じである。
【００２１】
次に、Ｓ４では、Ｓ３で得た最大アウトプットの暫定値を式（１）に適用して、最大水量を再計算し、計算後の最大水量となるように水量制御弁２８の開度を変更する。よって、給湯回路Ａの単独使用からの出湯量は減少し、給湯熱交換器６で熱交換される熱量に応じた適正な出湯量となって設定温度と出湯温度とが一致することになる。
そして、Ｓ５で、同時使用の終了が確認されると、本制御は終了する。この同時使用の終了は、風呂の追い焚きが終了して給湯回路Ａの単独使用となった場合か、給湯燃焼と風呂の追い焚きとが共に終了した場合に確認される。風呂の追い焚き終了を解除条件としたのは、給湯燃焼の終了を解除条件とすると、時間をおいて再び給湯燃焼が開始されて間欠使用された場合、一旦水量制御弁が開方向へ動作した後、閉方向へ動作するため、水量が変動して出湯温度がふらつき、出湯特性の悪化に繋がるからである。
【００２２】
従って、風呂の追い焚き中であれば、給湯回路Ａの使用を一旦停止した後に再開する間欠使用を行っても、最大アウトプットの暫定値に基づいた水量制御は継続される。風呂の追い焚きが終了して給湯回路Ａの単独使用となった場合は、最大アウトプットの初期値に基づいて水量制御が行われる。
【００２３】
このように、上記形態の給湯器１によれば、コントローラ５０は、給湯回路Ａと風呂回路Ｂとが同時使用となった際には、最大アウトプットの暫定値を、給湯回路Ａの単独使用時に与えられる最大アウトプットの初期値と、予め設定された熱分配率とを用いた上記式（２）に基づいて計算し、算出した最大アウトプットの暫定値に基づいて給湯回路Ａでの運転を制御することで、同時使用の際には給湯回路Ａ側に与えられる最大アウトプットの割合に基づいた給湯回路Ａの運転制御が可能となる。よって、一缶二水路型で給湯回路Ａと風呂回路Ｂとを同時に使用しても、給湯回路Ａでの適正な運転を行うことができる。
【００２４】
特にここでは、熱分配率を、風呂回路Ｂにおける水温（風呂戻り温度）に基づいて変更可能としているので、より正確な最大アウトプットの暫定値を算出することができる。
また、コントローラ５０は、給湯回路Ａの単独使用の際には、最大アウトプットの初期値に基づき、設定温度で出湯するための出湯管２０での最大水量を決定して水量制御弁２８を制御する一方、給湯回路Ａ及び風呂回路Ｂが同時使用となった際には、最大アウトプットの暫定値に基づいて設定温度で出湯するための最大水量を決定して水量制御弁２８を制御するので、同時使用の際には給湯回路Ａでの最大水量を減少させて運転することができる。よって、低温出湯を効果的に防止可能となる。
【００２５】
さらに、コントローラ５０は、給湯回路Ａの単独使用中に、風呂回路Ｂに設けられて湯水の循環を検出する風呂水流スイッチ３７によって湯水の循環を検出した際に、２つの通水経路の同時使用と判断することで、給湯回路Ａと風呂回路Ｂとの双方の通水経路へ確実に通水した状態で最大アウトプットの変更制御を実行することができる。
加えて、最大アウトプットの暫定値に基づく給湯回路Ａの運転制御を、風呂回路Ｂの使用終了（追い焚き終了）により解除しているので、給湯回路Ａを使用終了から再使用した際の水量制御弁２８の余計な動作を排除でき、同時使用から給湯回路Ａを間欠運転しても出湯特性の悪化を防止することができる。
【００２６】
なお、熱分配率は、図３に示すテーブルに限らず、風呂戻り温度の範囲をより細分化して熱分配率を決定してもよいし、逆により大まかに範囲を決定して熱分配率を決定してもよい。
また、風呂戻り温度によって熱分配率を可変とする場合に限らず、風呂往き温度や風呂回路の通水量によるものとしたり、給湯回路の水温や通水量によるものとしたり、これらの複数の項目に重み付けをした式に基づいて熱分配率を算出したり等、適宜変更可能である。
さらに、風呂回路の循環検出手段は、風呂水流スイッチの他、ポンプの駆動電流等の他の検出手段としてもよいし、複数の検出手段に基づいて循環を検出するようにしてもよい。
加えて、最大アウトプットの暫定値に基づく給湯回路の運転制御の解除条件は、追い焚き終了時に限らず、出湯特性に影響がなければ給湯回路の使用終了としても差し支えない。
【００２７】
そして、同時使用時の最大アウトプットの暫定値に基づく給湯回路の運転制御は、水量制御弁の制御に限らず、ガス比例弁やバイパス管への分配弁、燃焼ファンの各モータの制御等においても採用することができる。
その他、給湯器自体の構成も、一缶二水路型であれば、各熱交換器が潜熱回収用の副熱交換器を備えるものであったり、バイパス管がない給湯回路であったりしても差し支えない。また、給湯回路でない通水経路としては、風呂回路に限らず、外部の床暖房や浴室暖房機等に接続される暖房回路等であっても本発明は適用可能である。
【符号の説明】
【００２８】
１・・給湯器、２・・燃焼室、３・・バーナユニット、４・・バーナ、５・・燃焼ファン、５・・給湯熱交換器（熱交換器）、７・・風呂熱交換器（熱交換器）、１２・・ガス管、１８・・給湯伝熱管、１９・・給水管、２０・・出湯管、２１・・水管サーミスタ、２２・・バイパス管、２３・・分配弁、２４・・入水サーミスタ、２５・・給湯水量センサ、２７・・給湯出湯サーミスタ、２８・・水量制御弁（出湯流量制御手段）、３０・・風呂伝熱管、３１・・浴槽、３３・・風呂戻り管、３４・・風呂往き管、３７・・風呂水流スイッチ（循環検出手段）、４１・・落とし込み管、５０・・コントローラ、Ａ・・給湯回路（通水経路）、Ｂ・・風呂回路（通水経路）。
【図１】
2019066057.tif 000003
【図２】
2019066057.tif 000004
【図３】
2019066057.tif 000005